(57)【要約】【課題】人体検知センサの位置を下げることができ、背の低い子供であっても確実にこれを検知することができ、また小便器背後の壁にセンサ窓を設ける必要を無くして配管ケースの前面壁に小便器を取り付けるに際しても配管ケースの高さを低くすることができ、荷物の上げ下ろしを容易に行い得るようになすとともに、人体検知センサの位置を目立たない位置とすることで見栄えを良好となし得る小便器の自動洗浄装置を提供する。【解決手段】人体検知センサ３４にて使用者を検知することで洗浄水を噴射し、小便器１０を自動洗浄する小便器の自動洗浄装置において、鉢部１６内空間に取り付けられ、洗浄水を鉢面に向けて放射状に噴射するスプレッダー２２に人体検知センサ３４を設けておく。【選択図】        図２
2007321543.tif 000002
【特許請求の範囲】
【請求項１】
人体検知センサにて使用者を人体検知することで洗浄水を噴射し、小便器を自動洗浄する小便器の自動洗浄装置において、
鉢部内空間に取り付けられ、前記洗浄水を鉢面に向けて放射状に噴射するスプレッダーに前記人体検知センサを設けたことを特徴とする小便器の自動洗浄装置。
【請求項２】
請求項１において、給水バルブを含む前記洗浄水の給水装置と、前記人体検知センサからの信号に基づいて該給水装置を作動制御するコントローラとを前記小便器の内部に設けてあることを特徴とする小便器の自動洗浄装置。
【請求項３】
請求項１，２の何れかにおいて、前記スプレッダーを前記小便器の壁部に挿通した状態で、該スプレッダーに対し固定クリップを軸直角方向に嵌め込むことで、該スプレッダーを該壁部に固定するようになしたことを特徴とする小便器の自動洗浄装置。
【請求項４】
請求項３において、前記人体検知センサからセンサコードを前記スプレッダーの外部に延び出させ、該センサコードを該スプレッダーとともに前記小便器の壁部に挿通させ、該センサコードの外側から前記固定クリップを該スプレッダーに嵌め込んで、該センサコードを該スプレッダーに固定するようになしてあることを特徴とする小便器の自動洗浄装置。
【請求項５】
請求項４において、前記固定クリップには前記センサコードを通すための凹部が設けてあることを特徴とする小便器の自動洗浄装置。
【請求項６】
請求項２〜５の何れかにおいて、前記スプレッダーには前記固定クリップ嵌込用の嵌込溝が設けてあることを特徴とする小便器の自動洗浄装置。
【請求項７】
請求項６において、前記スプレッダーには前記小便器の前記壁部の厚み方向に位置を異ならせて複数の前記嵌込溝が設けてあることを特徴とする小便器の自動洗浄装置。
【請求項８】
請求項３において、前記固定クリップと前記小便器の壁部との間に弾性材を介在させる状態に該固定クリップにて前記スプレッダーを固定するようになしてあることを特徴とする小便器の自動洗浄装置。
【発明の詳細な説明】
【技術分野】
【０００１】
この発明は、人体検知センサにて使用者を人体検知することで洗浄水を噴射し、小便器を自動洗浄する小便器の自動洗浄装置に関する。
【背景技術】
【０００２】
従来、小便器の洗浄装置として、人体検知センサを備え、その人体検知センサにより使用者を人体検知することで洗浄水を噴射し、小便器を自動洗浄する自動洗浄装置が広く用いられている。
この種小便器の自動洗浄装置としては、図８に示しているように鉢部２００を有する小便器本体２０２の上部に機能部ボックス２０４を設けて、その内部に赤外線式等の光学式且つ反射型の人体検知センサ，給水バルブを含む給水装置及びその作動制御を行うコントローラを収容し、そして人体検知センサを機能部ボックス２０４のセンサ窓２０６に臨む位置に配置して、使用者が小便器２１０の前方に立ったときにその人体検知センサにてこれを検知し、給水装置の給水バルブを開いて洗浄水を噴射し、小便器２１０の洗浄を行うようになしたものが公知である（下記特許文献１）。
【０００３】
この例では、鉢部２００内空間に洗浄水を放射状に噴射するスプレッダー２０８が取り付けられており、給水装置から供給された洗浄水が、このスプレッダー２０８から鉢部２００内面に向けて放射状に噴射されて鉢部２００内面が洗浄される。
尚２１２は機能部ボックス２０４の蓋であり、ここでは蓋２１２は小便器本体２０２と同じく陶器製とされている。
【０００４】
小便器の自動洗浄装置としては、図８に示すもののほかに図９に示すものが従来公知である。
同図において２１４は給水管や排水管等の配管類を内部に収容する配管ケースで、２１６はその天板をなすカウンターである。
カウンター２１６は通常は脱着可能とされており、このカウンター２１６を外すことで配管ケース２１４内部のメンテナンス作業を行い得るようになっている。
【０００５】
図９に示す小便器２１０は、この配管ケース２１４の前面壁を取付壁Ｗとして設置されている。
２１８は上記と同様に人体検知センサ，給水装置及びその作動制御をなすコントローラを内部に収容した機能部ボックスで、小便器２１０背後の取付壁Ｗに埋込状態に設けられている。
機能部ボックス２１８の内部に収容された人体検知センサ（光学式且つ反射型の人体検知センサ）は、その前面のセンサ窓２０６に臨む位置に配置されており、使用者が小便器２１０の前に立つと、人体検知センサがこれを検知して給水装置が自動的に給水作動し、小便器２１０を洗浄する。
尚この図９に示すものにおいても、鉢部２１０内空間にスプレッダー２０８が設けられていて、このスプレッダー２０８から洗浄水が放射状に噴射され、小便器洗浄が行われる。
【０００６】
しかしながらこれら図８，図９の何れの小便器の自動洗浄装置も、人体検知センサが高い位置にあるために、背の低い子供を検知し損なう可能性があり、また図９に示す自動洗浄装置の場合、人体検知センサを設置するためのスペースが小便器２１０とは別途に必要である問題があり、更に取付壁Ｗに人体検知センサ即ち機能部ボックス２１８を取り付ける関係上、壁Ｗ、詳しくは配管ケース２１４の高さが必然的に高くなってしまって、カウンター２１６上に荷物を載せ又はこれを降ろす作業に難儀を伴う問題がある。
【０００７】
更に図８，図９何れの小便器の自動洗浄装置の場合にも、人体検知センサ、詳しくはセンサ窓２０６が目立つ位置に位置することとなって見栄えが悪くなる問題があり、特に図８に示すものでは、人体検知センサ及びセンサ窓２０６を設ける必要があるために機能部ボックス２０４が上下寸法の大きい大型のものとなり、小便器２１０の外観，デザイン性が損なわれてしまう。
更に図８，図９何れの小便器の自動洗浄装置にあっても、人体検知センサ、詳しくはセンサ窓２０６が目立つ位置にあることから、特に公共トイレ等においてセンサ窓２０６に煙草を押し付けられるなどの悪戯をされ易いといった問題があった。
【０００８】
【特許文献１】特開２００１−４０７４０号公報
【発明の開示】
【発明が解決しようとする課題】
【０００９】
本発明は以上のような事情を背景とし、人体検知センサの位置を下げることができて、背の低い子供であっても確実にこれを検知することができ、また小便器背後の壁にセンサ窓を設ける必要を無くして、配管ケースの前面壁に小便器を取り付けるに際しても配管ケースの高さを低くすることができ、荷物の上げ降ろしを容易に行い得るようになすとともに、人体検知センサの位置を目立たない位置とすることで見栄えを良くし、また悪戯され難くすることのできる小便器の自動洗浄装置を提供することを目的としてなされたものである。
【課題を解決するための手段】
【００１０】
而して請求項１のものは、人体検知センサにて使用者を人体検知することで洗浄水を噴射し、小便器を自動洗浄する小便器の自動洗浄装置において、鉢部内空間に取り付けられ、前記洗浄水を鉢面に向けて放射状に噴射するスプレッダーに前記人体検知センサを設けたことを特徴とする。
ここで人体検知センサとして光学式且つ反射型の人体検知センサを用いることができる。
【００１１】
請求項２のものは、請求項１において、給水バルブを含む前記洗浄水の給水装置と、前記人体検知センサからの信号に基づいて該給水装置を作動制御するコントローラとを前記小便器の内部に設けてあることを特徴とする。
【００１２】
請求項３のものは、請求項１，２の何れかにおいて、前記スプレッダーを前記小便器の壁部に挿通した状態で、該スプレッダーに対し固定クリップを軸直角方向に嵌め込むことで、該スプレッダーを該壁部に固定するようになしたことを特徴とする。
【００１３】
請求項４のものは、請求項３において、前記人体検知センサからセンサコードを前記スプレッダーの外部に延び出させ、該センサコードを該スプレッダーとともに前記小便器の壁部に挿通させ、該センサコードの外側から前記固定クリップを該スプレッダーに嵌め込んで、該センサコードを該スプレッダーに固定するようになしてあることを特徴とする。
【００１４】
請求項５のものは、請求項４において、前記固定クリップには前記センサコードを通すための凹部が設けてあることを特徴とする。
【００１５】
請求項６のものは、請求項２〜５の何れかにおいて、前記スプレッダーには前記固定クリップ嵌込用の嵌込溝が設けてあることを特徴とする。
【００１６】
請求項７のものは、請求項６において、前記スプレッダーには前記小便器の前記壁部の厚み方向に位置を異ならせて複数の前記嵌込溝が設けてあることを特徴とする。
【００１７】
請求項８のものは、請求項３において、前記固定クリップと前記小便器の壁部との間に弾性材を介在させる状態に該固定クリップにて前記スプレッダーを固定するようになしてあることを特徴とする。
【発明の作用・効果】
【００１８】
以上のように本発明は、小便器の鉢部内空間に取り付けられ、洗浄水を鉢面に向けて放射状に噴射するスプレッダーに、小便器の自動洗浄装置における人体検知センサを設けたもので、本発明によれば人体検知センサの位置を下げることができ、これにより背の低い子供でも確実にこれを検知することが可能となる。
【００１９】
また図８に示しているように小便器の上部、詳しくは小便器本体よりも上側にセンサ窓を設けたり、或いは図９に示すように小便器背後の取付壁にセンサ窓を設ける必要が無くなることから、図８に示しているように小便器の上部に機能部ボックスを設ける場合においても、その機能部ボックスを上下寸法の小さなものとなし得てこれをコンパクト化することができ、小便器のデザイン性を高めることが可能となる。
或いはまた図９に示す配管ケースの前面壁、即ち小便器の背後の取付壁にセンサ窓を設ける必要が無くなることから、配管ケースの高さを低くすることが可能となって、その天板即ちカウンター上への荷物の上げ降ろしの作業も行い易くなる。
またセンサ窓が位置の低い、目立ち難い位置に位置することとなるため見栄えが良好となり、更にセンサ窓に対する悪戯を防止することが可能となる。
【００２０】
請求項２は、給水バルブを含む給水装置と、人体検知センサからの信号に基づいて給水装置を作動制御するコントローラとを小便器の内部に設けたもので、この請求項２によれば、小便器とは別途に給水装置及びコントローラを設置する必要が無くなり、従って小便器の自動洗浄装置の設置施工が容易になるとともに、小便器を配管ケースの前面壁を取付壁として設置する場合において、配管ケースの高さをより低くすることが可能となる。
【００２１】
本発明では、上記スプレッダーを小便器の壁部に挿通した状態でスプレッダーに対し固定クリップを軸直角方向に嵌め込むことで、かかるスプレッダーを小便器の壁部に固定するようになすことができる。
ここでスプレッダーは、大径の頭部と小径の管状部とを有するものとなして、その該管状部に対して前記固定クリップを嵌め込むようになし、かかる固定クリップと大径の頭部とで前記壁部を表裏両側から挟み込む状態に、スプレッダーを壁部に固定するようになしておくことができる（請求項３）。
【００２２】
この場合において、スプレッダーに設けた人体検知センサからセンサコードをスプレッダーの外部に延び出させ、そしてセンサコードをスプレッダーとともに小便器の壁部に挿通させ、そのセンサコードの外側から上記固定クリップをスプレッダーに嵌め込んで、センサコードをスプレッダーに固定するようになしておくことができる（請求項４）。
【００２３】
従来では、スプレッダーに雄ねじ部を設けて、この雄ねじ部に固定ナットをねじ込むことで、スプレッダーを小便器の壁部に固定するようにしており、この場合、人体検知センサからセンサコードがスプレッダーの外部に且つスプレッダーに沿って延び出していると、そのセンサコードが邪魔となってスプレッダーに対するナットのねじ込みを行うことができない。
従ってこの場合にはセンサコードをスプレッダーの内部に通すか、或いはまたセンサコードを通すための孔を小便器に別途に設けなければならない。
【００２４】
しかるにこの請求項４では、固定ナットのねじ込みによる固定ではなく、固定クリップをスプレッダーに対し軸直角方向に嵌め込んでスプレッダーの固定をなすようになしていることから、スプレッダーの固定を容易に行うことができる。
【００２５】
この場合において上記固定クリップには、センサコードを通すための、例えば溝や孔等から成る凹部を設けておくことができ（請求項５）、この場合センサコードがスプレッダーの固定に対して何ら障害とはならず、しかも固定クリップにてセンサコードをスプレッダーに良好に固定状態となすことができる。
【００２６】
上記スプレッダーには、固定クリップ嵌込用の嵌込溝を設けておくことができる（請求項６）。
このようにすれば、固定クリップの嵌込位置を適正な位置に位置決めすることができるとともに、固定クリップと嵌込溝との係合によってスプレッダーを小便器を挟む状態に強固に取付固定することが可能となる。
【００２７】
この場合において、スプレッダーには小便器の壁部の厚み方向に位置を異ならせて複数の嵌込溝を設けておくことができる（請求項７）。
小便器は通常陶器製であって、スプレッダーを取り付ける壁部はその厚みが大きくばらついている。
そこで上記嵌込溝を位置を異ならせて複数設けておくことで、壁部の厚みに応じて嵌込溝を選択し、固定クリップを嵌め込むことで、小便器自体の寸法のばらつきにも拘らず良好にスプレッダーを小便器の壁部に取付固定することが可能となる。
【００２８】
次に請求項８は、固定クリップと小便器の壁部との間に弾性材を介在させる状態にスプレッダーを固定するようになしたもので、この場合においても弾性材の圧縮弾性変形によって、小便器の壁部の肉厚寸法のばらつきを効果的に吸収することができ、従ってかかる壁部の肉厚のばらつきにも拘らず、良好にスプレッダーを小便器の壁部に取付固定することが可能となる。
【発明を実施するための最良の形態】
【００２９】
次に本発明の実施形態を図面に基づいて詳しく説明する。
図１及び図２において、１０は陶器製の小便器で、１２は配管ケース、１４は配管ケース１２の天板としてのカウンターである。
配管ケース１２の内部には給水管，排水管等の配管類が収納されている。
この例において、小便器１０は配管ケース１２の前面壁を取付壁Ｗとして設置されている。
【００３０】
小便器１０は、鉢部１６と下部の垂れ受部１８を有しており、その鉢部１６内空間にスプレッダー２２が取り付けられている。
ここでスプレッダー２２は、鉢部１６の後面上部且つ左右方向中央位置に取り付けられている。
このスプレッダー２２は、図４に示しているようにその下面に射水孔２４を有しており、洗浄水をこの射水孔２４から下向き且つ放射状に噴射する。
噴射された洗浄水は鉢部１６の内面に沿って流下し、鉢部１６の内面を洗浄して排水口２０から排出される。
尚図１において２６は鉢部１６の天井面を表している。
【００３１】
上記スプレッダー２２は、正面形状が円形で内部が中空の大径の頭部２８（図３及び図４参照）と、頭部２８から後方に延び出した、断面円形で小径且つその内部を頭部２８の内部に連通させた管状部３０とを有している。
管状部３０には給水用の配管（図示省略）が接続され、その配管を通じて頭部２８の内部に洗浄水が導かれて、射水孔２４から下向き且つ放射状に噴射される。
【００３２】
スプレッダー２２は、管状部３０を小便器１０における後壁部３１の取付孔３２に挿通させ、且つ頭部２８の後面を後壁部３１に当接させる状態で、かかる後壁部３１に取付固定されている。
スプレッダー２２における頭部２８の前面には、図２に示しているように投光部３４ａと受光部３４ｂとを有する赤外線式且つ反射型の人体検知センサ３４が設けられている。
【００３３】
図３及び図４において、３６は人体検知センサ３４をスプレッダー２２の頭部２８とともに外側から覆う樹脂製の透光性のカバーで、スプレッダー２２の頭部２８の外周面に装着されたゴム製のＯリング３８に弾性的に嵌め合わされ、保持されている。
人体検知センサ３４が設けられたスプレッダー２８の前面は、このＯリング３８により水密にシールされている。
【００３４】
図４及び図５に、スプレッダー２２の固定構造が示してある。
これらの図に示しているように、スプレッダー２２は弾性を有する固定クリップ４０にて後壁部３１に固定されている。
固定クリップ４０は全体として略門形をなしており、弾性的に拡開可能な一対の弾性アーム４４と、それらを連結する連結部４６とを有している。
各弾性アーム４４の端部には、固定クリップ４０の差込時にはガイドとなり、また引抜方向には抵抗部となる爪４８が内向きに突出する形態で設けられている。
【００３５】
一方連結部４６には、人体検知センサ３４から管状部３０の外面に沿って延び出したセンサコード５４を通すための切欠形状の溝５０が設けられている。
他方管状部３０の外面には、固定クリップ４０の嵌込用の嵌込溝５２が軸方向に位置を異ならせて複数設けられている。
ここで各嵌込溝５２は、管状部３０の軸直角方向に延びる形態で設けられている。
【００３６】
この実施形態では、スプレッダー２２の管状部３０を小便器１０における後壁部３１の取付孔３２に挿通し、且つ頭部２８を後壁部３１に当接させた状態で、固定クリップ４０を管状部３０の複数の嵌込溝５２の何れかに軸直角方向に嵌め込むことで、かかる固定クリップ４０と頭部２８とで後壁部３１を表裏両側から挟み込む状態に、スプレッダー２２を後壁部３１に固定することができる。
【００３７】
図３及び図４において、５６は環状をなすゴム等の弾性材で、この実施形態では、かかる弾性材５６を固定クリップ４０と後壁部３１とで挟み込むようにしてスプレッダー２２を取付固定する。
このような弾性材５６を用いない場合には、嵌込溝５２の何れかに固定クリップ４０を嵌め込んだときに、固定クリップ４０と後壁部３１との間に隙間が生じ、スプレッダー２２が取付状態でがたつきを生じる恐れがあるが、本実施形態に従って弾性材５６をその厚み方向に弾性圧縮変形させる状態に挟み込むことでその隙間を無くし、がたつき無く強固にスプレッダー２２を後壁部３１に取り付けることが可能となる。
【００３８】
尚固定クリップ４０をスプレッダー２２の管状部３０に嵌め込むに当り、後壁部３１の厚みのばらつきに応じて、複数の嵌込溝５２の何れか適当なものを選択して固定クリップ４０をそこに嵌め込むようにする。
このようにすることで、陶器製の小便器１０における後壁部３１が肉厚のばらつきを有していても、良好にスプレッダー２２を後壁部３１に取付固定することができる。
【００３９】
本実施形態では、人体検知センサ３４から管状部３０の外面に沿って延び出したセンサコード５４を、図４に示しているように管状部３０とともに取付孔３２に挿通し、そして固定クリップ４０をセンサコード５４の外側から管状部３０の嵌込溝５２に嵌め込んで、スプレッダー２２を後壁部３１に固定すると同時に、センサコード５４を固定クリップ４０にて管状部３０に固定する。
このとき、センサコード５４が連結部４６に設けた切欠形状の溝５０に嵌るように、即ちセンサコード５４が溝５０を通るようにして固定クリップ４０をセンサコード５４の外側から管状部３０に嵌め込む。
【００４０】
以上のような本実施形態によれば人体検知センサ３４の位置を下げることができ、これにより背の低い子供でも確実にこれを検知することが可能となる。
また小便器１０の上部、詳しくは小便器本体より上側にセンサ窓を設けたり、或いは便器背後の取付壁Ｗにセンサ窓を設ける必要が無くなる。従って給水装置やコントローラを収納するための機能部ボックスを小便器１０の上部に設ける場合においても、その機能部ボックスの上下寸法を小さくしてコンパクト化することができ、小便器のデザイン性を高めることが可能となる。
或いは小便器１０の背後の取付壁Ｗにセンサ窓を設ける必要が無くなることから、配管ケース１２の高さを低くすることが可能となって、カウンター１４上への荷物の上げ降ろしの作業を容易化することができる。
またセンサ窓が位置の低い目立ち難い位置に位置することとなるため見栄えが良好となり、更にセンサ窓に対する悪戯を防止することが可能となる。
【００４１】
更に本実施形態ではスプレッダー２２を小便器１０の後壁部３１に対し固定クリップ４０にて固定するようになしていることから、スプレッダー２２の固定を容易に行うことができる。
その際、固定クリップ４０にはセンサコード５４を通すための溝５０が設けてあるため、センサコード５４がスプレッダー２２の固定に対して何ら障害とはならず、しかも固定クリップ４０にてセンサコード５４をスプレッダー２２に良好に固定状態となすことができる。
【００４２】
またスプレッダー２２には固定クリップ４０の嵌込用の嵌込溝５２が後壁部３１の厚み方向に位置を異ならせて複数設けてあるため、固定クリップ４０の嵌込位置を位置決めし得るとともに、固定クリップ４０と嵌込溝５２との係合によってスプレッダー２２を強固に取付固定できるのに加えて、小便器１０自体の後壁部３１の厚み寸法のばらつきにも拘らず、良好にスプレッダー２２を後壁部３１に取付固定することができる。
【００４３】
更に加えてこの実施形態では、固定クリップ４０と後壁部３１とで弾性材５６を挟むようにしてスプレッダー２２を固定するようになしているため、弾性材５６の圧縮弾性変形によって小便器１０の後壁部３１の肉厚寸法のばらつきを効果的に吸収でき、スプレッダー２２を小便器１０の後壁部３１に対しがたつきなく良好に取付固定することができる。
【００４４】
尚この実施形態において、給水バルブを含む給水装置及びその作動制御をなすコントローラについては、配管ケース１２の内部に収納状態に設けておくことができる。
或いは図６に示しているように小便器１０の上部に収納部５８を設けて、その内側の収納空間に給水バルブを含む給水装置６０及びその作動制御をなすコントローラ６２を収納しておいても良い。
ここで給水装置６０は配管を介して上記スプレッダー２２に接続され、またコントローラ６２に対して給水装置６０が電気配線にて接続されるとともに、人体検知センサ３４がセンサコード５４にて電気的に接続される。
このようにしておけば、小便器１０とは別途に給水装置６０及びコントローラ６２を設置する必要が無くなり、小便器１０の自動洗浄装置の設置施工が容易になるとともに、小便器１０を配管ケース１２の前面壁を取付壁Ｗとして設置する場合において、配管ケース１２の高さをより低くすることが可能となる。
【００４５】
上記実施形態では、固定クリップ４０を嵌め込むための嵌込溝５２を複数個（３個）設けているが、場合によってこの嵌込溝５２は１つだけ設けておくことも可能であるし、更にはまた嵌込溝５２を複数設ける場合において、図７に示しているようにこれら嵌込溝５２が互いに連続するように螺旋状に設けておくことも可能である。
即ち管状部３０の外周面に沿って連続した螺旋形状の雌ねじ形状の溝を設け、その溝によって上記の複数の嵌込溝５２を形成することも可能である。
この場合において、固定クリップ４０には嵌込溝５２に嵌り込む爪部６４を設けておくことができる。
【００４６】
以上本発明の実施形態を詳述したがこれらはあくまで一例示である。
例えば本発明は、図１の鉢部１６における天井面２６にスプレッダー２２が取り付けられて、そのスプレッダー２２から洗浄水が後方に噴射される形式の小便器１０に適用して、かかる天井面２６のスプレッダー２２に人体検知センサ３４を設けることも可能であるなど、本発明はその趣旨を逸脱しない範囲において種々変更を加えた形態で構成可能である。
【図面の簡単な説明】
【００４７】
【図１】本発明の一実施形態である自動洗浄装置を小便器に取り付けた状態で示す全体図である。
【図２】図１に示すものの正面図である。
【図３】図１におけるスプレッダーを周辺部とともに示す図である。
【図４】図３に示すものの断面図である。
【図５】図１におけるスプレッダーと固定クリップとを周辺部とともに示す斜視図である。
【図６】本発明の他の実施形態の要部の図である。
【図７】本発明の更に他の実施形態の要部の図である。
【図８】従来の小便器の自動洗浄装置の図である。
【図９】図８とは異なる従来例の図である。
【符号の説明】
【００４８】
１０  小便器
１６  鉢部
２２  スプレッダー
２８  頭部
３０  管状部
３１  後壁部
３４  人体検知センサ
４０  固定クリップ
５０  溝
５２  嵌込溝
５４  センサコード
５６  弾性材
６０  給水装置
６２  コントローラ
【図１】
2007321543.tif 000003
【図２】
2007321543.tif 000004
【図３】
2007321543.tif 000005
【図４】
2007321543.tif 000006
【図５】
2007321543.tif 000007
【図６】
2007321543.tif 000008
【図７】
2007321543.tif 000009
【図８】
2007321543.tif 000010
【図９】
2007321543.tif 000011